(57)【要約】【課題】キャリッジへの記録手段の装着に関してユーザーの操作性を向上させることができる記録装置を提供する。【解決手段】記録装置は、被記録材（不図示）に記録を行う記録ヘッドを備えたヘッドカートリッジ（不図示）を着脱自在に搭載し、被記録材に対して往復走査するキャリッジ５０と、ヘッドカートリッジをキャリッジ５０に固定するヘッド固定部材５１とを有している。ヘッド固定部材５１は、軸５１ｂを中心として回動可能であり、ヘッド固定部材５１を回動させるための力が加えられるレバー５１ａと、ヘッドカートリッジをキャリッジ５０に押圧する複数のヘッド押圧ばね５３，５４とを備えている。複数のヘッド押圧ばね５３，５４のうちレバー５１ａに最も近いヘッド押圧ばね５３が、ヘッド固定部材５１を回転させてヘッドカートリッジをキャリッジ５０に固定する際に最初にヘッドカートリッジに押圧力を加えるように構成されている。【選択図】　図４
2004090343.tif 000002
【特許請求の範囲】
【請求項１】
被記録媒体に記録を行う記録手段を着脱自在に搭載し、前記被記録媒体に対して往復走査するキャリッジと、前記記録手段を前記キャリッジに固定する固定部材とを有し、前記固定部材は、回動軸を中心として回動可能であり、前記固定部材を回動させるための力が加えられる操作部と、前記記録手段を前記キャリッジに押圧する複数の押圧手段とを備えている記録装置において、前記複数の押圧手段のうち前記操作部に最も近い押圧手段が、前記固定部材を回転させて前記記録手段を前記キャリッジに固定する際に最初に前記記録手段に押圧力を加えるように構成されていることを特徴とする記録装置。
【請求項２】
前記複数の押圧手段は、前記操作部に最も近い押圧手段が前記記録手段を押圧するときに生じる反力が、前記記録手段を前記キャリッジに固定する方向に前記固定部材を回転させるにつれて前記固定部材を前記方向に回転させる力として作用するようになった後に、他の押圧手段が前記記録手段に押圧力を加えるように配置されている、請求項１に記載の記録装置。
【請求項３】
被記録媒体に記録を行う記録手段を着脱自在に搭載し、前記被記録媒体に対して往復走査するキャリッジと、前記記録手段を前記キャリッジに固定する固定部材とを有する記録装置において、
前記記録手段は、前記記録手段が前記キャリッジ内に挿入された状態では、前記固定部材による前記キャリッジへの固定が解放されているときでも、前記キャリッジに固定される所定の位置に自重によって配置されるように重心の位置が設定されていることを特徴とする記録装置。
【請求項４】
被記録媒体に記録を行う記録手段を着脱自在に搭載し、前記被記録媒体に対して往復走査するキャリッジと、前記記録手段を前記キャリッジに固定する固定部材とを有し、前記固定部材は、回動軸を中心として回動可能であり、前記記録手段を前記キャリッジに押圧する押圧手段を備えている記録装置において、
前記固定部材は、前記押圧手段が前記記録手段を前記キャリッジに押圧している固定状態のときに前記押圧手段に作用する反力によって前記記録手段を前記キャリッジに押圧する突き当て部を有していることを特徴とする記録装置。
【発明の詳細な説明】
【０００１】
【発明の属する技術分野】
本発明は、記録手段を着脱自在に保持するキャリッジを備え、記録手段による記録動作を行いながらそのキャリッジを被記録媒体に対して往復走査させることで被記録媒体に記録を行う記録装置に関する。
【０００２】
【従来の技術】
プリンタ、複写機、ファクシミリ等の機能を有する記録装置、あるいはコンピュータやワードプロセッサ等を含む複合型電子機器やワークステーションの出力機器として用いられる記録装置は、画像情報に基づいて記録用紙やプラスチック薄板等の被記録材（被記録媒体）に画像を記録していく構成を有している。このような記録装置は、記録方式によってインクジェット式、ワイヤドット式、サーマル式、レーザービーム式等に分けることができる。
【０００３】
被記録材の搬送方向（副走査方向）と交差する方向に主走査するシリアルスキャン方式を採るシリアルタイプの記録装置においては、被記録材に沿って移動するキャリッジ上に搭載した記録手段によって画像が記録（主走査）され、１行分の記録を終了した後に所定量の紙送り（ピッチ搬送）が行なわれるという動作が繰り返されて、被記録材全体に記録が行なわれる。一方、被記録材の搬送方向の副走査のみで記録するラインタイプの記録装置においては、被記録材を所定の記録位置にセットし、一括して１行分の記録を行った後、所定量の紙送り（ピッチ送り）を行い、さらに、次の行の記録を一括して行うという動作を繰り返すことによって、被記録材全体に記録が行なわれる。
【０００４】
上記のシリアルスキャン方式を用いた記録装置のうち、記録手段（記録ヘッド）が装置本体から着脱可能なカートリッジタイプとなっているものは、メンテナンス性に優れ、特に低価格の汎用プリンタに広く用いられている。
【０００５】
【発明が解決しようとする課題】
しかしながら、上記の従来技術においては、記録手段とキャリッジとの電気的な接点の数によっては、記録手段をキャリッジに押し付けるためには大きな力が必要になる。その結果として、記録手段をキャリッジに装着する際に必要なの操作力が非常に大きくなってしまう。このため、記録手段を装着する固定部材の変形を防止するために、その固定部材の機構部に高い剛性をもった特別な材料を使用したり、固定部材の操作力を低減するために複雑なリンク機構を用いたりする必要があった。
【０００６】
また、記録手段の長寿命化に伴い、ほとんどのユーザーは、一旦装着した記録手段をキャリッジから外す必要がないにもかかわらず、固定部材の操作レバーを安易に触ってしまい、記録手段の脱着を不用意に行ってしまうことがある。
【０００７】
さらには、固定部材が記録手段をキャリッジに押圧して固定しているにもかかわらず、ユーザーが装着状態の記録手段に大きな力を加えたときに、記録手段が固定部材から外れてしまい、元の装着状態に戻らないことがあるという問題があった。
【０００８】
そこで本発明は、キャリッジへの記録手段の装着に関してユーザーの操作性を向上させることができる記録装置を提供することを目的とする。
【０００９】
【課題を解決するための手段】
上記目的を達成するため、本発明の記録装置は、被記録媒体に記録を行う記録手段を着脱自在に搭載し、前記被記録媒体に対して往復走査するキャリッジと、前記記録手段を前記キャリッジに固定する固定部材とを有し、前記固定部材は、回動軸を中心として回動可能であり、前記固定部材を回動させるための力が加えられる操作部と、前記記録手段を前記キャリッジに押圧する複数の押圧手段とを備えている記録装置において、前記複数の押圧手段のうち前記操作部に最も近い押圧手段が、前記固定部材を回転させて前記記録手段を前記キャリッジに固定する際に最初に前記記録手段に押圧力を加えるように構成されていることを特徴とする。
【００１０】
上記本発明の記録装置によれば、最初に記録手段に押圧力を加える押圧手段が操作部の近傍に配置されているので、固定部材によって記録手段をキャリッジに固定する動作の初期、すなわち、操作部に最も近い押圧手段のみが記録手段に当接しているときに固定部材に生じ得るねじれを少なくすることができる。したがって、固定部材を特別な材料で構成したり、固定部材に複雑な機構を設けたりすることなく、固定部材を操作するユーザーに与えられる違和感を抑えることができ、ユーザーが固定部材を操作する際の操作感を向上させることが可能になる。
【００１１】
さらに、前記複数の押圧手段は、前記操作部に最も近い押圧手段が前記記録手段を押圧するときに生じる反力が、前記記録手段を前記キャリッジに固定する方向に前記固定部材を回転させるにつれて前記固定部材を前記方向に回転させる力として作用するようになった後に、他の押圧手段が前記記録手段に押圧力を加えるように配置されている構成としてもよい。
【００１２】
この構成によれば、上記他の押圧手段が記録手段に加える押圧力の反力に抗して固定部材を回転させるためにユーザーが固定部材に加えるべき力は、操作部に最も近い押圧手段が記録手段を押圧するときに生じる反力が固定部材を固定方向に回転させる力として作用する分だけ少なくて済むようになる。したがって、固定部材が複数の押圧手段で記録手段をキャリッジに押圧する構成であっても、ユーザーは比較的小さい力で固定部材を操作することが可能になる。
【００１３】
また、本発明の他の記録装置は、被記録媒体に記録を行う記録手段を着脱自在に搭載し、前記被記録媒体に対して往復走査するキャリッジと、前記記録手段を前記キャリッジに固定する固定部材とを有する記録装置において、前記記録手段は、前記記録手段が前記キャリッジ内に挿入された状態では、前記固定部材による前記キャリッジへの固定が解放されているときでも、前記キャリッジに固定される所定の位置に自重によって配置されるように重心の位置が設定されていることを特徴とする。
【００１４】
このように構成された記録装置によれば、記録手段をキャリッジに固定していた固定部材が開放状態になった場合でも、記録手段はキャリッジ内において固定状態時の位置とほぼ同じ位置に留まるので、ユーザーが記録手段を不用意にキャリッジから取り外してしまうことを防止することができる。
【００１５】
また、本発明のさらに他の記録装置は、被記録媒体に記録を行う記録手段を着脱自在に搭載し、前記被記録媒体に対して往復走査するキャリッジと、前記記録手段を前記キャリッジに固定する固定部材とを有し、前記固定部材は、回動軸を中心として回動可能であり、前記記録手段を前記キャリッジに押圧する押圧手段を備えている記録装置において、前記固定部材は、前記押圧手段が前記記録手段を前記キャリッジに押圧している固定状態のときに前記押圧手段に作用する反力によって前記記録手段を前記キャリッジに押圧する突き当て部を有していることを特徴とする。
【００１６】
このように構成された記録装置によれば、押圧手段が記録手段を押圧することに加えて、その押圧力に対する反力によって突き当て部が記録手段を押圧するので、固定部材が記録手段をキャリッジに押し付ける力をより大きくすることができる。したがって、固定部材によってキャリッジに固定された記録手段に外部から不用意な力がかけられた場合であっても、記録手段がキャリッジから外れることを防止することが可能になる。
【００１７】
【発明の実施の形態】
次に、本発明の実施形態について図面を参照して説明する。
【００１８】
（第１の実施形態）
図１は本発明の第１の実施形態に係る記録装置の全体構成を示す斜視図、図２はその記録装置の側断面図である。
【００１９】
自動給送装置を有する記録装置１は、給紙部２、送紙部３、排紙部４、キャリッジ部５、クリーニング部６からなっている。以下に、これらの概略を項目に分けて順次述べる。
【００２０】
（Ａ）給紙部
図１および図２に示すように、給紙部２は被記録材（不図示）を積載する圧板２１と、被記録材を給紙する給送回転体２２とがベース２０に取り付けられた構成を有している。圧板２１には可動サイドガイド２３が移動可能に設けられており、この可動サイドガイド２３は被記録材の積載位置を規制している。圧板２１はベース２０に結合された軸を中心に回転可能であり、圧板ばね２４により給送回転体２２に付勢されるようになっている。
【００２１】
（Ｂ）送紙部
送紙部３は、被記録材を搬送する搬送ローラ３６と、これに当接して従動するピンチローラ３７とを有している。これら搬送ローラ３６とピンチローラ３７とは、ローラ対を構成する。ピンチローラ３７は、ピンチローラガイド３０に保持されており、これがピンチローラばね３１に付勢されることでピンチローラ３７が搬送ローラ３６に圧接され、それによって被記録材の搬送力を生み出している。
【００２２】
さらに、被記録材が搬送されてくる送紙部３の入り口には、被記録材をガイドするプラテン３４が配設されている。また、ピンチローラガイド３０には被記録材の先端と後端が通過したときに変位するＰＥセンサレバー３５が設けられている。なお、記録装置本体の制御部の機能も有する電気基板９（図２）から送られた画像情報に基づいて画像を形成する記録手段としてのインクジェット記録ヘッドと、それに供給するインクを貯蔵するインクタンクとを含むヘッドカートリッジ７は、搬送ローラ３６の被記録材の搬送方向下流側に配置されている。
【００２３】
上記の構成によれば、送紙部３に送られた被記録材はプラテン３４およびピンチローラガイド３０に案内され、搬送ローラ３６とピンチローラ３７とからなるローラ対に送られる。このとき、ＰＥセンサレバー３５が搬送されてきた被記録材の先端に押されて変位し、この変位をＰＥセンサ３２が検知することで、被記録材の記録位置を求めている。また、被記録材は、不図示のＬＦモーターによりローラ対３６，３７が回転することで、プラテン３４上を搬送される。
【００２４】
なお、本実施形態のヘッドカートリッジ７は、インクジェット記録ヘッドに対してインクタンクが交換可能である。このヘッドカートリッジ７は、ヒータ等により、記録ヘッドのノズル内のインクに熱を与えることが可能となっている。そして、その熱によりインクが膜沸騰し、この膜沸騰による気泡の成長または収縮によって生じる圧力変化によって記録ヘッドのノズルからインクが吐出されて、被記録材の上に画像が形成されるようになっている。
【００２５】
（Ｃ）キャリッジ部
キャリッジ部５は、ヘッドカートリッジ７が着脱自在に取り付けられるキャリッジ５０を有している。このキャリッジ５０は、被記録材の搬送方向に対して直角方向にキャリッジ５０を往復走査させるガイド軸８１と、キャリッジ５０の上部後端を保持してヘッドカートリッジ７と被記録材との隙間を一定に維持するガイドレール８２とによって支持されている。これらのガイド軸８１およびガイドレール８２はシャーシ８に取り付けられている。また、シャーシ８には、キャリッジ５０が図１の左方向に移動する範囲を規制する規制部８ａが、シャーシ８の一部を曲げ起こすことによって構成されている。
【００２６】
キャリッジ５０は、シャーシ８に取り付けられたキャリッジモータ８０によってタイミングベルト８３を介して駆動される。このタイミングベルト８３は、アイドルプーリ８４によって張設され、支持されている。さらに、キャリッジ５０には、電気基板９からヘッドカートリッジ７へ記録信号を伝えるためのフレキシブルケーブル５６が備えられている。また、キャリッジ５０には、キャリッジ５０の走査方向における位置を検出するリニアエンコーダ１０１が搭載されている。リニアエンコーダ１０１は、シャーシ８に取り付けられたリニアスケール１０２に形成されたラインの数を読みとることにより、キャリッジ５０の位置を検出することができる。リニアエンコーダ１０１が検出して得たキャリッジ５０の位置に関する信号は、フレキシブルケーブル５６を介して電気基板９に伝えられ、処理される。
【００２７】
上記の構成では、被記録材に画像を形成するときには、画像を記録する行位置（被記録材の搬送方向の位置）にローラ対３６，３７が被記録材を搬送するとともに、キャリッジモータ８０とリニアエンコーダ１０１を使用したフィードバック制御により、キャリッジ５０を画像記録を行う列位置（被記録材の搬送方向に対して垂直な位置）に移動させて、ヘッドカートリッジ７を画像記録位置に対向させる。その後、電気基板９からの信号により、ヘッドカートリッジ７が被記録材に向けてインクを吐出することで、被記録材に画像が形成される。
【００２８】
（Ｄ）排紙部
排紙部４は、画像記録が行われた被記録材を記録装置１の外に排出する排紙ローラ４１と、これに当接する回転可能な拍車４２とを有している。拍車４２は、回転する排紙ローラ４１に従動して回転する。
【００２９】
この構成により、キャリッジ部５の下方で画像が記録された被記録材は、排紙ローラ４１と拍車４２とのニップに挟まれて排出され、不図示の排紙トレー等に排出される。
【００３０】
（Ｅ）クリーニング部
クリーニング部６は、ヘッドカートリッジ７の記録ヘッドのノズルからインクを吸引するポンプ６０と、ヘッドカートリッジ７のノズルの乾燥を防ぐキャップ６１と、ヘッドカートリッジ７のフェイス面（吐出口形成面）を清掃するワイパー６２と、これらの駆動源であるＰＧモータ６９とから構成されている。
【００３１】
次に、本実施形態の記録装置１におけるキャリッジ部５の詳細について説明する。
【００３２】
図３および図４は、図１等に示した記録装置におけるキャリッジ部の斜視図である。図３は、キャリッジ５０にヘッドカートリッジ７が装着された状態を示している。
【００３３】
図３に示すように、キャリッジ５０は、ヘッドカートリッジ７をキャリッジ５０に装着する際にヘッドカートリッジ７を案内するキャリッジカバー５２と、ヘッドカートリッジ７をキャリッジ５０に固定するヘッド固定部材５１とを有している。ヘッド固定部材５１は軸５１ｂを中心としてキャリッジ５０に対して回動できるように構成されており、ヘッド固定部材５１の軸５１ｂの伸延方向に関する一方の端部付近には、ユーザーがヘッド固定部材５１を回動させる力を加える操作部として機能するレバー５１ａが設けられている。
【００３４】
図４は、ヘッドカートリッジ７をキャリッジ５０から外し、ヘッド固定部材５１を開放した状態のキャリッジ部５を示している。図４に示すように、ヘッド固定部材５１の軸５１ｂの伸延方向に関する両端部付近には、２つのヘッド押圧ばね５３，５４がそれぞれ設けられている。これらのばね５３，５４は、軸５１ｂを中心とするヘッド固定部材５１の回動に伴って軸５１ｂを中心として移動し、ヘッド固定部材５１を閉じたときにはヘッドカートリッジ７に当接して、ヘッドカートリッジ７をキャリッジ５０に押圧して密着固定させるための押圧力を発生させる。なお、説明の便宜上、２つのヘッド押圧ばね５３，５４のうち、レバー５１ａの近傍に設けられているものを第１のヘッド押圧ばね５３とし、他方を第２のヘッド押圧ばね５４とする。
【００３５】
図５は、図４に示した状態のキャリッジ部の側面図である。図６は、図５に示した状態のヘッド固定部材のレバーを操作して、ヘッドカートリッジに一方のヘッド押圧ばねを当接させた状態を示す図である。
【００３６】
本実施形態では、レバー５１ａを操作してヘッド固定部材５１を閉じたときに、レバー５１ａの近傍に設けられている第１のヘッド押圧ばね５３の方が第２のヘッド押圧ばね５４よりも先にヘッドカートリッジ７に当接するように、各ヘッド押圧ばね５３，５４のヘッド固定部材５１の軸５１ｂまわりの回転半径が互いに異なっている。
【００３７】
そのため、ヘッド固定部材５１を閉じてヘッドカートリッジ７をキャリッジ５０に固定する動作の初期には、第１のヘッド押圧ばね５３のみがヘッドカートリッジ７に当接し、第１のヘッド押圧ばね５３により生じる反力のみがヘッド固定部材５１に加わる。しかし、ヘッド固定部材５１に力を加えるレバー５１ａは、第１のヘッド押圧ばね５３の近傍に設けられているので、上記の固定動作の初期に第１のヘッド押圧ばね５３の反力によってヘッド固定部材５１に生じるねじれは少ない。
【００３８】
このように、本実施形態によれば、ヘッド固定部材５１を閉じてヘッドカートリッジ７をキャリッジ５０に固定する動作の初期（すなわち、第１のヘッド押圧ばね５３のみがヘッドカートリッジ７に当接している状態）に生じ得るヘッド固定部材５１のねじれを少なくすることができる。したがって、ヘッド固定部材５１を特別な材料で構成したり、固定部材５１に複雑な機構を設けたりすることなく、ヘッド固定部材５１を操作するユーザーに与えられる違和感を抑えることができ、ユーザーがヘッド固定部材５１を操作する際の操作感を向上させることが可能になる。
【００３９】
（第２の実施形態）
図７は、本発明の第２の実施形態に係る記録装置のヘッド固定部材とヘッドカートリッジとの当接部近傍を拡大して示す図である。
【００４０】
上述した第１の実施形態では、ヘッド固定部材５１の両側に設けられた２つのヘッド押圧ばね５３，５４のうち、レバー５１ａの近傍のヘッド押圧ばね５３が先にヘッドカートリッジ７に押圧力をかけるように構成されている例を説明した。本実施形態は、この構成に加えて、第１のヘッド押圧ばね５３がヘッドカートリッジ７に押圧力をかけた後に第２のヘッド押圧ばね５４がヘッドカートリッジ７に押圧力をかける適切なタイミングを設定することにより、ユーザーがヘッド固定部材５１を操作する際の操作感をさらに向上させることを可能にするものである。
【００４１】
図７に示すように、本実施形態における２つのヘッド押圧ばね５３，５４は、ヘッド固定部材５１の回転方向に関して互いにずれた位置関係を有するように配置されている。特に第１のヘッド押圧ばね５３に着目すれば、第１のヘッド押圧ばね５３がヘッドカートリッジ７を押圧する位置が、ヘッド固定部材５１を閉じる方向（図７における反時計回り方向）に関して、軸５１ｂの中心よりもｄだけ上記回転方向の先に位置するように構成されている。そして、第１のヘッド押圧ばね５３がヘッドカートリッジ７を押圧する位置が上記回転方向にｄだけ先に移動した後に、第２のヘッド押圧ばね５４がヘッドカートリッジ７を押圧するようになっている。ここで、上記のｄは、少なくとも第２のヘッド押圧ばね５４がヘッドカートリッジ７を押圧し始める際に、ヘッドカートリッジ７を押圧する第１のヘッド押圧ばね５３による反力が、ヘッド固定部材５１を閉じる方向（図７における反時計回り方向）に回転させる力として作用する範囲に設定されている。
【００４２】
なお、本実施形態の記録装置のその他の構成は、図１から図６に示した第１の実施形態に係る記録装置と同様である。
【００４３】
上記の構成によれば、ヘッドカートリッジ７をキャリッジ５０（図１等参照）に固定するためにヘッド固定部材５１を閉じていくと、レバー５１ａの近傍のヘッド押圧ばね５３が先にヘッドカートリッジ７に押圧力をかけるため、第１の実施形態と同様に固定動作の初期に生じうるヘッド固定部材５１のねじれを少なくすることができ、ユーザーがヘッド固定部材５１を操作する際の操作感を向上させることができる。
【００４４】
これに加えて、本実施形態では、ヘッド固定部材５１を閉じる方向にさらに回転させると、当初はヘッド固定部材５１を開く方向（図７における時計回り方向）に作用していたヘッド押圧ばね５３の反力は、少なくとも第２のヘッド押圧ばね５４がヘッドカートリッジ７を押圧し始める際には、ヘッド固定部材５１を閉じる方向（図７における反時計回り方向）に作用するようになる。このとき、ヘッド固定部材５１を閉じる方向にさらに回転させるためにヘッド固定部材５１に加えるべき力は第２のヘッド押圧ばね５４に抗する力のみであるが、ユーザーが実際にレバー５１ａに加える必要がある力は、第１のヘッド押圧ばね５３の反力がヘッド固定部材５１を閉じる方向に回転させる力として作用する分だけ小さくて済む。
【００４５】
このように、本実施形態によれば、ヘッド押圧ばね５４に抗してヘッド固定部材５１を閉じる方向に回転させる際に必要とされる力を小さくできるので、ヘッド固定部材５１が複数の押圧ばね５３，５４でヘッドカートリッジ７をキャリッジ５０に押圧固定する構成であっても、ユーザーは比較的小さい力でヘッド固定部材５１を操作することが可能になる。
【００４６】
（第３の実施形態）
図８は、本発明の第３の実施形態の記録装置におけるヘッドカートリッジを単体で示す斜視図である。
【００４７】
本実施形態のヘッドカートリッジ７は、自身の重心Ｇが、ヘッドカートリッジ７を図６に示すようにキャリッジ５０内に挿入したときにヘッドカートリッジ７を支持する支持軸７ａよりも図８における右側（ヘッドカートリッジ７の背面側）に位置している。なお、本実施形態の記録装置のその他の構成は、図１から図６に示した第１の実施形態に係る記録装置と同様である。
【００４８】
キャリッジ５０内に装着されたヘッドカートリッジ７は、ヘッド固定部材５１で固定される前は支持軸７ａを中心として回動可能である。しかし、重心Ｇが上記のようにヘッドカートリッジ７の背面側に位置しているので、キャリッジ５０内に挿入されたヘッドカートリッジ７は、ヘッド固定部材５１に固定される前に、図６に示すようにその背面がキャリッジ５０に当接する位置、すなわちキャリッジ５０内のヘッドカートリッジ７が固定される所定の位置まで自重によって傾く。このように、本実施形態におけるヘッドカートリッジ７は、ヘッド固定部材５１で固定されているか否かにかかわらず、キャリッジ５０内における所定の固定位置に配置される。
【００４９】
したがって、本実施形態によれば、例えばヘッド固定部材５１を開放状態にした場合であってもヘッドカートリッジ７はキャリッジ５０内における固定状態時の位置とほぼ同じ位置に留まるので、ユーザーがヘッドカートリッジ７を不用意にキャリッジ５０から取り外してしまうことを防止することができる。
【００５０】
（第４の実施形態）
図９は、本発明の第４の実施形態に係る記録装置におけるヘッドカートリッジとキャリッジを、ヘッドカートリッジがキャリッジに固定されている状態で示す断面図である。
【００５１】
本実施形態では、ヘッド固定部材５１がヘッドカートリッジ７をキャリッジ５０に固定している状態において、ヘッドカートリッジ７をキャリッジ５０に押圧しているヘッド押圧ばね５３，５４（図４等参照）による反力が、ヘッド固定部材５１を軸５ｂを回転中心として図９における反時計回りに回転させる方向に作用するようになっている。そして、ヘッド固定部材５１に一体に設けられているヘッド突き当て部５１ｃが、ヘッド押圧ばね５３，５４による上記反力によってヘッドカートリッジ７をキャリッジ５０に押し当てるようになっている。
【００５２】
この構成によれば、ヘッド押圧ばね５３，５４がヘッドカートリッジ７をキャリッジ５０に直接押圧することに加えて、ヘッド突き当て部５１ｃがヘッドカートリッジ７をキャリッジ５０に押圧するので、ヘッドカートリッジ７をキャリッジ５０に固定する力をより大きくすることができる。さらに、ヘッドカートリッジ７を図９の左方向に動かす外力がヘッドカートリッジ７にかけられたときには、ヘッドカートリッジ７をキャリッジ５０に押し当てているヘッド突き当て部５１ｃがストッパとして機能し、ヘッド固定部材５１が不用意に開放してヘッドカートリッジ７がキャリッジ５０から外れてしまうことを防止する。
【００５３】
（その他の実施形態）
以上の実施形態では、記録装置がインクジェット記録装置である場合を例に挙げて説明したが、本発明は、ワイヤドット式、感熱式、レーザービーム式の記録装置など、他の記録方式を用いる記録装置に対しても同様に適用することができ、同様の作用効果を達成できるものである。また、本発明は、単色記録を行う記録装置、１個または複数個の記録ヘッドを用いて複数の異なる色で記録するカラー記録装置、同一色彩で異なる濃度の複数濃度で記録する階調記録装置、さらには、これらを組み合わせた記録装置などの場合にも、同様に適用することができ、同様の効果を達成しうるものである。
【００５４】
また、本発明は、液体インクを用いて記録するインクジェット記録装置の場合、記録ヘッドとインクタンクを一体化した交換可能なヘッドカートリッジを用いる構成、記録ヘッドとインクタンクを別体にし、その間をインク供給用のチューブ等で接続する構成など、記録ヘッドを着脱する構成であれば、記録ヘッドとインクタンクの配置構成がどのような場合にも同様に適用することができ、同様の効果が得られるものである。
【００５５】
さらに、本発明は、インクジェット記録装置の場合、例えば、ピエゾ素子等の電気機械変換体等を用いる記録手段を使用するものにも適用できるが、中でも、熱エネルギーを利用してインクを吐出する方式の記録手段を使用するインクジェット記録装置において優れた効果をもたらすものである。かかる方式によれば、記録の高密度化、高精細化が達成できるからである。
【００５６】
【発明の効果】
以上説明したように、本発明の記録装置は、複数の押圧手段のうち操作部に最も近い押圧手段が、固定部材を回転させて記録手段をキャリッジに固定する際に最初に記録手段に押圧力を加えるように構成されているので、固定部材によって記録手段をキャリッジに固定する動作の初期に固定部材に生じ得るねじれを少なくすることができるので、ユーザーが固定部材を操作する際の操作感を向上させることができる。
【００５７】
さらに、複数の押圧手段は、操作部に最も近い押圧手段が記録手段を押圧するときに生じる反力が、記録手段をキャリッジに固定する方向に固定部材を回転させるにつれて固定部材を前記方向に回転させる力として作用するようになった後に、他の押圧手段が記録手段に押圧力を加えるように配置されている構成とすることにより、固定部材が複数の押圧手段で記録手段をキャリッジに押圧する構成であっても、ユーザーは比較的小さい力で固定部材を操作することが可能になる。
【００５８】
また、本発明の他の記録装置は、記録手段が、記録手段がキャリッジ内に挿入された状態では、固定部材によるキャリッジへの固定が解放されているときでも、キャリッジに固定される所定の位置に自重によって配置されるように重心の位置が設定されているので、記録手段をキャリッジに固定していた固定部材が開放状態になった場合でも、記録手段はキャリッジ内における固定状態の位置とほぼ同じ位置に留まるため、ユーザーが記録手段を不用意にキャリッジから取り外してしまうことを防止することができる。
【００５９】
また、本発明のさらに他の記録装置は、固定部材が、押圧手段が記録手段をキャリッジに押圧している固定状態のときに押圧手段に作用する反力によって記録手段をキャリッジに押圧する突き当て部を有しているので、固定部材が記録手段をキャリッジに押し付ける力をより大きくすることができることから、固定部材によってキャリッジに固定された記録手段に外部から不用意な力がかけられた場合であっても、記録手段がキャリッジから外れることを防止することができる。
【図面の簡単な説明】
【図１】本発明の第１の実施形態に係る記録装置の全体構成を示す斜視図である。
【図２】図１に示した記録装置の側断面図である。
【図３】図１等に示した記録装置におけるキャリッジ部の斜視図である。
【図４】図１等に示した記録装置におけるキャリッジ部の斜視図である。
【図５】図４に示した状態のキャリッジ部の側面図である。
【図６】図５に示した状態のヘッド固定部材のレバーを操作して、ヘッドカートリッジに一方のヘッド押圧ばねを当接させた状態を示す図である。
【図７】本発明の第２の実施形態に係る記録装置のヘッド固定部材とヘッドカートリッジとの当接部近傍を拡大して示す図である。
【図８】本発明の第３の実施形態の記録装置におけるヘッドカートリッジを単体で示す斜視図である。
【図９】本発明の第４の実施形態に係る記録装置におけるヘッドカートリッジとキャリッジを、ヘッドカートリッジがキャリッジに固定されている状態で示す断面図である。
【符号の説明】
１　　記録装置
２　　給紙部
３　　送紙部
４　　排紙部
５　　キャリッジ部
６　　クリーニング部
７　　ヘッドカートリッジ
７ａ　支持軸
８　　シャーシ
８ａ　規制部
９　　電気基板
２０　　ベース
２１　　圧板
２２　　給送回転体
２３　　可動サイドガイド
２４　　圧板ばね
３０　　ピンチローラガイド
３１　　ピンチローラばね
３２　　ＰＥセンサ
３４　　プラテン
３５　　ＰＥセンサレバー
３６　　搬送ローラ
３７　　ピンチローラ
４１　　排紙ローラ
４２　　拍車
５０　　キャリッジ
５１　　ヘッド固定部材
５１ａ　レバー
５１ｂ　軸
５１ｃ　ヘッド突き当て部
５２　　キャリッジカバー
５３　　第１のヘッド押圧ばね
５４　　第２のヘッド押圧ばね
５６　　フレキシブルケーブル
６０　　ポンプ
６１　　キャップ
６２　　ワイパー
６９　　ＰＧモータ
８０　　キャリッジモータ
８１　　ガイド軸
８２　　ガイドレール
８３　　タイミングベルト
８４　　アイドルプーリ
１０１　　リニアエンコーダ
１０２　　リニアスケール
Ｇ　　重心
【図１】
2004090343.tif 000003
【図２】
2004090343.tif 000004
【図３】
2004090343.tif 000005
【図４】
2004090343.tif 000006
【図５】
2004090343.tif 000007
【図６】
2004090343.tif 000008
【図７】
2004090343.tif 000009
【図８】
2004090343.tif 000010
【図９】
2004090343.tif 000011